(57)【要約】【課題】画像書き換え時の違和感を解消できる画像表示方法及び表示装置を提供する。【解決手段】例えば縦書きの文章の場合、右側のページを右から左に書き換えライン４１を移動させ、書き換えライン４１の移動とともに右側のページの画像を書き換える。その後、左側のページの左端側に書き換えライン４１を移動（ジャンプ）させ、書き換えラインを左から右に移動させて、書き換えライン４１の移動とともに左側のページの画像を書き換える。【選択図】図８
2009282433.tif 000002
【特許請求の範囲】
【請求項１】
１ページ分の画像をそれぞれ表示可能な第１及び第２の表示エリアを有する表示部と、
前記表示部を制御して前記第１及び第２の表示エリアに表示された画像の書き換えを行う制御部とを有し、
前記制御部は、書き換えラインを前記第１の表示エリアの書き換え開始点を通る位置から第１の方向に移動させ、前記書き換えラインの移動にともなって前記第１の表示エリアの画像を順次書き換え、
前記書き換えラインを前記第２の表示エリア内の前記書き換え開始点と反対側の最遠点を通る位置に移動させ、前記第１の方向と逆の第２の方向に前記書き換えラインを移動させて、前記書き換えラインの移動にともなって前記第２の表示エリアの画像を順次書き換えることを特徴とする画像表示装置。
【請求項２】
１ページ分の画像をそれぞれ表示可能な第１及び第２の表示エリアを有する表示部と、前記表示部を制御して前記第１及び第２の表示エリアに表示された画像の書き換えを行う制御部とを有する表示装置の画像表示方法において、
前記制御部は、前記第１の表示エリアにおいて書き換えラインを第１の方向に移動させ、前記書き換えラインの移動にともなって前記第１の表示エリアの画像を順次書き換えた後、
前記第２の表示エリアにおいて前記書き換えラインを前記第１の方向と逆の第２の方向に移動させ、前記書き換えラインの移動にともなって前記第２の表示エリアの画像を順次書き換えることを特徴とする画像表示方法。
【請求項３】
１ページ分の画像をそれぞれ表示可能な第１及び第２の表示エリアを有する表示部と、
前記表示部を制御して前記第１及び第２の表示エリアに表示された画像の書き換えを行う制御部とを有し、
前記制御部は、前記第１及び第２の表示エリアに表示する画像のデータから前記第１の表示エリアにおける書き換え開始点及び書き換えライン移動方向、並びに前記第２の表示エリアにおける書き換えライン移動方向及び最遠点の情報を抽出し、それらの情報に基づいて、書き換えラインを前記第１の表示エリアの前記書き換え開始点を通る位置から前記第１の表示エリアにおける書き換えライン移動方向に移動させ、前記書き換えラインの移動にともなって前記第１の表示エリアの画像を順次書き換えた後、
前記書き換えラインを前記第２の表示エリア内の前記最遠点を通る位置に移動させ、前記第２の表示エリアにおける書き換えライン移動方向に前記書き換えラインを移動させて、前記書き換えラインの移動にともなって前記第２の表示エリアの画像を順次書き換えることを特徴とする表示装置。
【請求項４】
１ページ分の画像をそれぞれ表示可能な第１及び第２の表示エリアを有する表示部と、
前記表示部を制御して前記第１及び第２の表示エリアに表示された画像の書き換えを行う制御部とを有し、
前記制御部は、画像を構成する各画素の情報を縦方向及び横方向に並んだ画素毎に演算し、その結果により組版情報を取得して前記第１の表示エリアの書き換え開始点及び書き換えライン移動方向、並びに前記第２の表示エリアの書き換え開始点及び書き換えライン移動方向を決定し、
前記書き換えラインを前記第１の表示エリアの書き換え開始点を通る位置から前記第１の表示エリアの書き換え方向に移動させ、前記書き換えラインの移動にともなって前記第１の表示エリアの画像を順次書き換えた後、
前記書き換えラインを前記第２の表示エリアの書き換え開始点を通る位置に移動させ、前記第２の表示エリアの書き換えライン移動方向に前記書き換えラインを移動させて、前記書き換えラインの移動にともなって前記第２の表示エリアの画像を順次書き換えることを特徴とする表示装置。
【請求項５】
画像の表示が可能な表示エリアを有する表示部と、
前記表示部を制御して前記表示エリアに表示された画像の書き換えを行う制御部とを有し、
前記制御部は、前記表示エリアに表示される書き換えラインを一方向に移動させ、前記書き換えラインの移動にともなって前記表示エリアの画像を書き換えるとともに、前記書き換えラインの進行方向の前方にサッケード範囲よりも広い幅の無地の帯を表示することを特徴とする表示装置。
【発明の詳細な説明】
【技術分野】
【０００１】
本発明は、電子ペーパーのように画像の書き換え速度が比較的遅い表示装置における画像表示方法及びそれを実現する表示装置に関する。
【背景技術】
【０００２】
電子ペーパーは、画像（文字及び記号等を含む。以下、同じ）を電気的に書き換え可能であり、電力の供給を停止しても画像が消えないという性質（表示メモリ性）を有する表示装置である。近年、電子ペーパーの実用化に向けた研究が盛んになされている。電子ペーパーには、薄く軽量であるとともに消費電力が極めて少なく、目に優しく疲れない表示であることが要求されており、電子ブック、電子新聞及び電子ポスター等への応用が期待されている。電子ペーパーは、表示方式の違いにより、電気泳動方式、ツイストボール方式、電気化学方式及び液晶方式などに分類される。
【０００３】
電気泳動方式の電子ペーパーでは、電界の印加により帯電粒子を空気中や液体中で移動させて画像を表示する。ツイストボール方式の電子ペーパーでは、二色に色分けされた帯電粒子を回転させて画像を表示する。電気化学方式の電子ペーパーは、電界を印加した際に電気化学反応により着色及び消色、又は変色するような材料を電極間に挟んだ構造の表示装置である。液晶方式の電子ペーパーは一対の基板間に液晶を挟んだ構造を有し、液晶分子による複屈折や光の反射を電気的に制御して画像を表示する。
【０００４】
ところで、電子ペーパーは、一般的に消費電力が極めて少ない反面、画像書き換え速度が遅いという性質がある。図１は、電子ペーパーの書き換えプロセスを示す模式図である。この例では、文章が縦書きされたページを右から左に書き換えている。図中符号１１は書き換えラインを示しており、この書き換えライン１１の左側は書き換え前の画像（図１の例では空白）が表示され、書き換えライン１１の右側は書き換え後の画像が表示される。書き換えライン１１は右から左へ１又は複数ドット（画素）毎に連続的に移動する。一般的な電子ペーパーでは、消費電力を小さくするために動作速度の速い表示パネルや高速のドライバ（駆動回路）を使用することができず、１ページ分の画像の書き換えに０．３〜数秒程度かかる。そのため、書き換えライン１１の移動を目視で確認することができる。
【０００５】
なお、画像の書き換えを行う場合、１ページ分の画像を消去してから新しいページの画像を表示する方式（この場合、新しいページの画像を表示するときには書き換えライン１１の左側は常に空白）と、元のページの画像を新しいページの画像に置き換える方式（この場合、書き換えライン１１の左側には元のページの画像が表示されている）とがある。
【０００６】
特許文献１〜３には、２ページ分の画像を１度に表示する表示装置において、ページの切り換え方法の例が開示されている。また、非特許文献１，２には人間の視覚特性について記載されている。
【特許文献１】特開２０００−２４２３９０号公報
【特許文献２】特開２００６−６４９１０号公報
【特許文献３】特開２００４−３１８１２３号公報
【非特許文献１】視角の情報処理、スペアー・レムクール共著、サイエンス社発行
【非特許文献２】視覚情報処理の基礎、乾敏郎著、サイエンス社発行
【発明の開示】
【発明が解決しようとする課題】
【０００７】
本願発明者らは、電子ペーパーを電子ブック等に応用した場合に、以下に示す問題点があると考える。例えば電子ブックの場合、実際の本（書籍）と同じように中央部分で折り畳みが可能であり、右側及び左側にそれぞれ表示エリアが設けられて２ページ分の画像を１度に表示できるようになっているものが多い。
【０００８】
図２は、２ページ分の画像を表示可能な電子ペーパーの画像書き換え時の状態を示す模式図である。この例では、右側のページの画像を右から左に順に書き換え、右側のページの画像の書き換えが終了したら左側のページの画像を右から左に順に書き換えている。
【０００９】
前述したように、一般的な電子ペーパーでは消費電力が極めて少ない反面、画像書き換え速度が遅く、１ページ分の画像の書き換えに要する時間は０．３〜数秒程度である。このような速度で書き換えライン１１が連続的に移動すると、人間は書き換えライン１１を眼で追ってしまう。そのため、右側のページの書き換えが終わっているのにもかかわらず、左側のページの書き換えライン１１を眼で追って、結局２ページ分の画像の書き換えが完了してからでないと右側のページの文章を読み始めることができない。その結果、画像書き換え時に読書が中断され、実際の本を読むときと比べて違和感があり、電子ペーパーでは文章を読みにくいと感じてしまう。
【００１０】
本発明は、画像書き換え時の違和感を解消できる画像表示方法及び表示装置を提供することを目的とする。
【課題を解決するための手段】
【００１１】
上記した目的は、１ページ分の画像をそれぞれ表示可能な第１及び第２の表示エリアを有する表示部と、前記表示部を制御して前記第１及び第２の表示エリアに表示された画像の書き換えを行う制御部とを有する表示装置の画像表示方法において、前記制御部は、前記第１の表示エリアにおいて書き換えラインを第１の方向に移動させ、前記書き換えラインの移動にともなって前記第１の表示エリアの画像を順次書き換えた後、前記第２の表示エリアにおいて前記書き換えラインを前記第１の方向と逆の第２の方向に移動させ、前記書き換えラインの移動にともなって前記第２の表示エリアの画像を順次書き換える画像表示方法により達成される。
【００１２】
上記した画像表示方法によれば、書き換えラインを第１の方向に移動させ、書き換えラインの移動にともなって第１の表示エリアの画像を順次書き換える。第１の表示エリアの書き換えを終了した後、第２の表示エリアにおいて書き換えラインを第１の方向と逆の第２の方向に移動させ、書き換えラインの移動にともなって第２の表示エリアの画像を順次書き換える。
【００１３】
このように、第１の表示エリアの画像の書き換えが終了した後、書き換えラインを大きく移動（ジャンプ）させることにより、読者の注視点（注目点）を書き換えラインから解放することができる。これにより、第２の表示エリアの画像の書き換えを待つことなく、第１の表示エリアに表示された画像の判読を開始することができる。その結果、従来の電子ペーパー（表示装置）で読書するときの違和感がなくなり、電子ペーパーによる読書が容易になる。
【００１４】
また、上記した目的は、１ページ分の画像をそれぞれ表示可能な第１及び第２の表示エリアを有する表示部と、前記表示部を制御して前記第１及び第２の表示エリアに表示された画像の書き換えを行う制御部とを有し、前記制御部は、書き換えラインを前記第１の表示エリアの書き換え開始点を通る位置から第１の方向に移動させ、前記書き換えラインの移動にともなって前記第１の表示エリアの画像を順次書き換え、前記書き換えラインを前記第２の表示エリア内の前記書き換え開始点と反対側の最遠点を通る位置に移動させ、前記第１の方向と逆の第２の方向に前記書き換えラインを移動させて、前記書き換えラインの移動にともなって前記第２の表示エリアの画像を順次書き換える第１の表示装置により達成される。
【００１５】
上記第１の表示装置においては、書き換えラインを書き換え開始点を通る位置から第１の方向に移動させて第１の表示エリアの画像を書き換えた後、第２の表示エリア内であって前記書き換え開始点と反対側の最遠点を通る位置に書き換えラインを移動（ジャンプ）させる。そして、前記第１の方向と逆の第２の方向に書き換えラインを移動して、第２の表示エリアの画像を書き換える。
【００１６】
このように、第１の表示エリアの書き換えが終了した後、書き換えラインを大きく移動（ジャンプ）させることにより、書き換えラインから読者の注視点（注目点）を開放することができ、第２の表示エリアの画像の書き換えを待つことなく、第１の表示エリアに表示された画像の判読を開始することができる。これにより、従来の電子ペーパー（表示装置）で読書するときの違和感がなくなり、電子ペーパーによる読書が容易になる。
【００１７】
更に、上記した目的は、１ページ分の画像をそれぞれ表示可能な第１及び第２の表示エリアを有する表示部と、前記表示部を制御して前記第１及び第２の表示エリアに表示された画像の書き換えを行う制御部とを有し、前記制御部は、前記第１及び第２の表示エリアに表示する画像のデータから前記第１の表示エリアにおける書き換え開始点及び書き換えライン移動方向、並びに前記第２の表示エリアにおける書き換えライン移動方向及び最遠点の情報を抽出し、それらの情報に基づいて、書き換えラインを前記第１の表示エリアの前記書き換え開始点を通る位置から前記第１の表示エリアにおける書き換えライン移動方向に移動させ、前記書き換えラインの移動にともなって前記第１の表示エリアの画像を順次書き換えた後、前記書き換えラインを前記第２の表示エリア内の前記最遠点を通る位置に移動させ、前記第２の表示エリアにおける書き換えライン移動方向に前記書き換えラインを移動させて、前記書き換えラインの移動にともなって前記第２の表示エリアの画像を順次書き換える第２の表示装置により達成される。
【００１８】
上記第２の表示装置においては、表示エリアに表示する画像のデータから書き換え開始点、第１の表示エリアにおける書き換えライン移動方向、第２の表示エリアにおける書き換えライン移動方向及び最遠点の情報を抽出し、それらの情報に基づいて、第１の表示エリアにおける書き換えラインの初期位置及び移動方向、並びに第２の表示エリアにおける書き換えラインの初期位置及び移動方向を決定する。これにより、第１の表示エリアの書き換えを終了した後、書き換えラインを第２の表示エリア内の最遠点を通る位置に移動（ジャンプ）させることができて、書き換えラインから読者の注視点（注目点）を開放することができる。そのため、第２の表示エリアの画像の書き換えを待つことなく、第１の表示エリアに表示された画像の判読を開始することができる。その結果、従来の電子ペーパー（表示装置）で読書するときの違和感がなくなり、電子ペーパーによる読書が容易になる。また、第２の表示装置によれば、第１の表示エリアにおける書き換えラインの初期位置及び移動方向、並びに第２の表示エリアにおける書き換えラインの初期位置及び移動方向を任意に設定することができる。
【００１９】
更にまた、上記した目的は、１ページ分の画像をそれぞれ表示可能な第１及び第２の表示エリアを有する表示部と、前記表示部を制御して前記第１及び第２の表示エリアに表示された画像の書き換えを行う制御部とを有し、前記制御部は、画像を構成する各画素の情報を縦方向及び横方向に並んだ画素毎に演算し、その結果により組版情報を取得して前記第１の表示エリアの書き換え開始点及び書き換えライン移動方向、並びに前記第２の表示エリアの書き換え開始点及び書き換えライン移動方向を決定し、前記書き換えラインを前記第１の表示エリアの書き換え開始点を通る位置から前記第１の表示エリアの書き換え方向に移動させ、前記書き換えラインの移動にともなって前記第１の表示エリアの画像を順次書き換えた後、前記書き換えラインを前記第２の表示エリアの書き換え開始点を通る位置に移動させ、前記第２の表示エリアの書き換えライン移動方向に前記書き換えラインを移動させて、前記書き換えラインの移動にともなって前記第２の表示エリアの画像を順次書き換える第３の表示装置により達成される。
【００２０】
例えば表示エリアに表示する画像のデータが１枚の静止画として供給される場合であって縦書きか横書きかなどの組版の情報がない場合、書き換え開始位置及び書き換え方向を適切に決定することができない。しかし、上記第３の表示装置においては、画像を構成する各画素の情報を縦方向及び横方向に並んだ画素毎に演算し、その結果により組版情報を取得する。これにより、縦書きか横書きかを判別することができ、書き換え開始位置及び書き換え方向を適切に決定することができる。その後、例えば書き換えラインを移動させて第１の表示エリアの画像を書き換える。次いで、書き換えラインを第２の表示エリアの書き換え開始位置に移動（ジャンプ）させ、第２の表示エリアの書き換えライン移動方向に書き換えラインを移動させて、第２の表示エリアの画像を書き換える。これにより、第２の表示エリアの画像の書き換えを待つことなく、第１の表示エリアに表示された画像の判読を開始することができ、従来の電子ペーパー（表示装置）で読書するときの違和感がなくなり、電子ペーパーによる読書が容易になる。
【００２１】
更にまた、上記の目的は、画像の表示が可能な表示エリアを有する表示部と、前記表示部を制御して前記表示エリアに表示された画像の書き換えを行う制御部とを有し、前記制御部は、前記表示エリアに表示される書き換えラインを一方向に移動させ、前記書き換えラインの移動にともなって前記表示エリアの画像を書き換えるとともに、前記書き換えラインの進行方向の前方にサッケード範囲よりも広い幅の無地の帯を表示する第４の表示装置により達成される。
【００２２】
上記第４の表示装置によれば、書き換えラインの移動方向の前方にサッケード範囲、すなわち３文字分以上の幅で無地の帯（空白）を表示する。このように書き換えラインの移動方向の前方にサッケード範囲よりも広い幅で無地の帯を表示することにより、書き換えラインから読者の注視点（注目点）を開放することが容易になり、表示エリアの画像全体の書き換えを待つことなく、書き換えが終了した部分から読書を開始することができる。これにより、従来の電子ペーパー（表示装置）で読書するときの違和感がなくなり、電子ペーパーによる読書が容易になる。
【発明を実施するための最良の形態】
【００２３】
以下、本発明の実施形態について、添付の部面を参照して説明する。
【００２４】
（第１の実施形態）
図３は本発明の第１の実施形態に係る表示装置（電子ペーパー）の構成を示すブロック図、図４は同じくその表示装置の表示部の構成を示すブロック部、図５は表示パネルの断面図である。
【００２５】
図３に示すように、本実施形態に係る表示装置２０は、主制御部２１と、メモリ部２２と、操作部２３と、表示制御部２４と、左ページ側表示部２５ａと、右ページ側表示部２５ｂとを有している。
【００２６】
メモリ部２２には表示部２５ａ，２５ｂに表示する画像（文字及び記号等を含む：以下、コンテンツともいう）データが記憶されている。本実施形態では、メモリ部２２に画像データとして文字コードの集合が記憶されているものとする。なお、パーソナルコンピュータ等の外部装置から直接又は主制御部２１を介してメモリ部２２に画像データを転送できるようにしてもよい。
【００２７】
操作部２３は、当該表示装置２０を操作するための各種操作ボタン（順方向ページ送りボタン及び逆方向ページ送りボタン等）と、それらの操作ボタンのオン／オフ状態を検出して主制御部２１に出力する電子回路とを有している。操作ボタンの替りに、又は操作ボタンとともに、表示部２５ａ，２５ｂの前面にタッチパネルを配置してタッチパネルにより当該表示装置２０を操作するようにしてもよい。
【００２８】
主制御部２１は、操作部２３からの信号に基づいてメモリ部２２から表示すべき画像に応じた画像データを読み出し、表示制御部２４に転送する。表示制御部２４は、その内部に画像バッファ（図示せず）を有し、主制御部２１から送られた画像データを画像バッファ内に展開して画像を描画し、この画像に応じた表示信号を所定のタイミングで表示部２５ａ，２５ｂに出力する。また、表示制御部２４は、表示部２５ａ，２５ｂに画像表示又は書き換え開始のタイミングを規定するタイミング信号を出力する。
【００２９】
表示部２５ａ，２５ｂは、いずれも図４に示すように表示パネル３０と、第１のドライバ回路３１と、第２のドライバ回路３２とを有している。表示パネル３０は、図５の断面図に示すように、下基板３３と上基板３６との間にコレステリック液晶の層３５を挟んだ構造を有している。下基板３３及び上基板３６はいずれも透明なガラス板又はフィルム等により形成されており、下基板３３の下側には光を吸収する吸収膜（図示せず）が配置されている。
【００３０】
図４，図５に示すように、下基板３３の上側の面（液晶側の面）には横方向に伸びる複数の行電極３４が縦方向に一定のピッチで並んで配置されている。また、上基板３６の下側の面（液晶側の面）には、縦方向に伸びる複数の列電極３７が横方向に一定のピッチで並んで配置されている。これらの行電極３４及び列電極３７は、ＩＴＯ（Indium-Tin Oxide）等の透明導電体からなる。行電極３４と列電極３７とが交差する部分がそれぞれ画素となっており、各画素毎にコレステリック液晶の状態を制御して表示パネル３０に画像を表示する。
【００３１】
コレステリック液晶は、行電極３４及び列電極３７に供給される信号に応じて、光を透過するフォーカルコニック状態、特定の波長の光を反射するプレーナ状態、又はそれらが混在する状態に変化する。そして、行電極３４及び列電極３７への信号の供給を停止しても、その直前の状態を保持する。
【００３２】
例えば、第１のドライバ回路３１には表示制御部２４から表示信号を供給し、第２のドライバ回路３２には表示制御部２４からタイミング信号を供給する。この場合、第１のドライバ回路３１は表示信号を所定のタイミングで列電極３７に出力し、第２のドライバ回路３２はタイミング信号に同期した走査信号を生成して所定のタイミングで行電極３４に出力する。第１のドライバ回路３１及び第２のドライバ回路３２は、これらの表示信号と走査信号とにより表示パネル３０を駆動し、表示パネル３０に画像を表示する。
【００３３】
以下、表示パネル３０に画像を書き込む（又は、書き換える）ときの動作について説明する。ここでは、縦方向に並んだ行電極３４を上側から順に１行目の行電極、２行目の行電極、…というように呼び、横方向に並んだ列電極３７を左側から順に１列目の列電極、２列目の列電極、…というように呼ぶ。
【００３４】
まず、第１のドライバ回路３１から各列電極３７にそれぞれ表示信号を供給し、第２のドライバ回路３２から１行目の行電極３４のみに走査信号を供給する。これにより、各列電極３７と１行目の行電極３４との間の液晶が表示信号に応じた状態（プレーナ状態、フォーカルコニック状態又はそれらが混在した状態）になり、画像の１行目が表示パネル３０に書き込み（表示）される。
【００３５】
次に、第１のドライバ回路３１から各列電極３７に供給する表示信号を更新し、第２のドライバ回路３２により２行目の行電極３４のみに走査信号を供給する。これにより、各列電極３７と２行目の行電極３４との間の液晶が表示信号に応じた状態になり、画像の２行目が表示パネル３０に書き込み（表示）される。このようにして、一定の時間毎に各列電極３７に供給する表示信号を更新し、各行電極３４に順番に走査信号を供給することにより、表示パネル３０に所望の画像を表示することができる。
【００３６】
この場合、走査信号が供給されている行電極３４が書き込みラインに対応し、書き込みラインは上から下に移動することになる。各行電極３４に走査信号を供給する順番を逆にすると、書き込みラインは下から上に移動する。また、第１のドライバ回路３１の動作と第２のドライバ回路３２の動作とを入れ替えることにより、書き込みラインを右から左へ、又は左から右へ移動させることができる。このようにして、本実施形態の表示装置では、書き込みラインを所望の位置から所望の方向に移動させて、表示パネル３０に所望の画像を書き込む（又は、書き換える）ことができる。
【００３７】
なお、図３では左ページ側表示部２５ａと右ページ側表示部２５ｂとを個別に設けているが、１つの表示部（表示パネル）により左ページ及び右ページを表示するようにしてもよい。また、本実施形態では表示パネル３０がコレステリック液晶方式の場合について説明しているが、電気泳動方式、ツイストボール方式及び電気化学方式など、他の方式の表示パネルを用いてもよい。
【００３８】
以下、本発明の実施形態に係る画像表示方法を説明する前に、本発明の理解を容易にするための予備的事項について説明する。
【００３９】
人間の視覚特性の１つである運動視覚の場合、高い周波数をもつ画像への感受性が低下し、低い周波数をもつ画像への感受性を保存することが知られている（非特許文献１）。すなわち、画像が動く場合、画像の詳細な内容（高い周波成分）に対する感受性は低下するが、全体の動き（低い周波数成分）に対する感受性は変わらない。
【００４０】
これは、表示画面が書き換わる場合、人間は表示面の文字等の精細な画像変化のある部分を注目せず、大きな画像変化（書き換えラインの動き）を注目することを意味する。この視覚特性を利用すれば，書き換えラインから現在の注目点位置を計算することができる。
【００４１】
一方、人間の視覚特性の１つにサッケードがある。人間の視野は２１０度程度あるといわれている。しかし、この視野のうち、人間が高分解能で処理できる範囲は数度程度である。このため、人間は、視野中心で観察すべき物体をとらえようとして自然に眼を動かす。この眼の運動がサッケードである。
【００４２】
サッケード範囲は人間が文字を判読する等の高解像度な画像処理を行える範囲であり，文字を読み取る際の視野範囲ということもできる。日本語の文章を読む場合、サッケード範囲は３文字分程度（３〜４文字分）であるとされている（非特許文献２）。従って、この範囲を超えたところに書き換えラインを移動させることで、書き換えラインから注目点を離脱させることができる。
【００４３】
前者の効果によれば注目点の束縛が可能になり、後者の効果によれば注目点の解放が可能になるため、書き換えラインを制御することで人間の注目点の移動を制御することが可能になる。
【００４４】
以下、本発明の実施形態に係る画像表示方法について説明する。
【００４５】
図６〜図８は、本発明の第１の実施形態に係る画面表示方法を示す模式図である。ここでは、表示装置２０に表示する画像（コンテンツ）が日本語の縦書き文章であり、表示装置２０には１度に２ページ分の画像が表示され、右側のページ（右ページ側表示部２５ｂ）を書き換えた後に左側のページ（左ページ側表示部２５ａ）を書き換えるものとする。この場合、書き換えラインは縦方向に伸びたものとなる。また、以下の説明では、表示装置２０に表示する２つのページのうちページ番号が小さいほうを第１のページ、ページ番号が大きいほうを第２のページという。
【００４６】
まず、右側のページ（第１のページ）を書き換える際に、図６，図７に示すように、書き換えライン４１は右から左に連続的に移動する。この場合、人間の注目点（図中４２で示す）は、書き換えライン４１を追って右から左へ移動する。
【００４７】
右側のページの書き換えが終了すると、左側のページ（第２のページ）の書き換えを開始する。本実施形態においては、図８に示すように、左側のページの書き換えは左側から右方向に順次行う。すなわち、第１のページの書き換えが終了すると、書き換えライン４１は第２のページの左端に移動し、そこから右方向に移動を開始する。
【００４８】
このように右側のページの書き換えが終了した後、書き換えライン４１をサッケード範囲を超えて大きく移動（ジャンプ）させることにより、注目点４２が書き換えライン４１から解放され、注目点４２を第１のページの先頭（右側のページの右上部分）に移動させることができる。読者が第１のページを読んでいる間に第２のページの書き換えが完了し、第１のページを読み終えたときには第２のページをすぐに読み始めることができる。これにより、電子ペーパーで読書するときの違和感が解消され、電子ペーパーによる読書が容易になる。
【００４９】
（第２の実施形態）
図９は、本発明の第２の実施形態に係る表示装置（電子ペーパ）の構成を示すブロック図である。なお、図９において、図３と同一物には同一符号を付してその詳しい説明は省略する。
【００５０】
本実施形態の表示装置５０は、主制御部５１と、メモリ部２２と、操作部２３と、表示制御部５４と、左ページ側表示部２５ａと、右ページ側表示部２５ｂとを有している。主制御部５１は、コンテンツ処理制御部５１ａと、演算処理部５１ｂと、パネル情報記憶部５１ｃとを有している。また、表示制御部５４は、画像バッファ５４ａと画像書き換え制御部５４ｂとを有している。
【００５１】
本実施形態においては、コンテンツ制作者又はユーザにより画像の書き換え開始位置及び書き換え方向等（以下、表示モードという）を指定できるようにしている。ここでは、コンテンツ制作者により表示モードが指定されている場合について説明する。
【００５２】
本実施形態では、予め図１０に示すようにＮｏ１からＮｏ８までの８種類の表示モードが設定されており、これらの表示モードは主制御部５１内のパネル情報記憶部５１ｃに記憶されている。表示モードの情報は、第１のページにおけるコンテンツの書き換え開始点位置（コンテンツ始点位置）、第１のページの書き換え方向（書き換えラインの移動方向）、第２のページの書き換え方向（書き換えラインの移動方向）及び最遠点（第２のページの書き換え開始点）位置を示す情報を含んでいる。コンテンツ制作者は、メモリ部２２に記憶する画像（コンテンツ）データに表示モードを指定する情報（以下、付加情報という）を付加しておく。
【００５３】
メモリ部２２に記憶された画像データは、コンテンツ処理制御部５１ａにより読み出され、付加情報が抽出される。演算処理部５１ｂは、パネル情報記憶部５１ｃを参照し、コンテンツ処理制御部５１ａにより抽出された付加情報に対応する表示モードを選択する。そして、演算処理部５１ｂは、表示制御部５４の画像書き換え制御部５４ｂに選択した表示モードの情報を伝達する。
【００５４】
一方、画像データは、コンテンツ処理制御部５１ａから表示制御部５４に送られ、表示制御部５４内の画像バッファ５４ａに画像が展開される。画像書き換え制御部４５は、表示モードの情報に応じて、左ページ側表示部２５ａ及び右ページ側表示部２５ｂにタイミング信号を供給するとともに、画像バッファ５４ａを制御して左ページ側表示部２５ａ及び右ページ側表示部２５ｂに表示信号を供給する。
【００５５】
例えば付加情報がＮｏ１の表示モードを指定するものである場合、第１の実施形態（図６〜図８参照）と同様に、右側のページ（第１のページ）を右側から左方向に書き換えライン４１を移動させて画面の書き換えを行った後、書き換えライン４１を左側のページ（第２のページ）の左下部（最遠点）を通る位置に移動（ジャンプ）する。そして、書き換えラインを左側から右方向に移動させて左側のページの画面を書き換える。
【００５６】
また、例えば付加情報がＮｏ６の表示モードを指定するものである場合、図１１，図１２に示すように、左側のページ（第１のページ）を上側から下方向に書き換えライン４１を移動させて画面の書き換えを行った後、書き換えライン４１を右側のページ（第２のページ）の右上部（最遠点）を通る位置に移動（ジャンプ）する。そして、書き換えライン４１を上側から下方向に移動させて右側のページの画面を書き換える。なお、図１１，図１２中の符号Ａはコンテンツ始点（書き換え開始点）位置を示し、符号Ｂは最遠点位置を示している。
【００５７】
上記の例ではコンテンツ制作者がコンテンツに付加情報を付加する場合について説明したが、ユーザが操作部２３を操作して表示モードを指定できるようにしてもよい。
【００５８】
本実施形態においては、第１の実施形態と同様に第１のページの画面の書き換えが終了した後、書き換えラインをサッケード範囲を超えて大きく移動（ジャンプ）させる。これにより、注目点を書き換えラインから解放することができる。その結果、画面書き換え時の違和感を解消でき、電子ペーパーで文章を読むことが容易になる。また、本実施形態においては、コンテンツ制作者又はユーザにより画面に表示する文章の向き（縦書き又は横書き）、第１のページの書き換え方向及び第２のページの書き換え方向等を設定することができるという利点もある。
【００５９】
また、本実施形態によれば、例えば図１３に示すように１つの表示部に４ページ分の画像を表示する表示装置６０の場合に、第１のページ（右上のページ）の画像を書き換えライン４１を上から下に移動させて書き換えた後、書き換えライン４１を第２のページ（右下のページ）の下端に移動させ、下から上に画像を書き換えるというような動作も可能である。
【００６０】
（第３の実施形態）
第１及び第２の実施形態では、例えば１ページ分の画像が１枚の静止画として記録されていて組版（文字の並び方）の情報がない場合に適用することができない。ここでは、表示パネルに表示する画像を解析して文章が縦書きであるか横書きであるかを自動的に判定し、それに応じて画面の書き換え開始位置及び書き換え方向を決定する場合について説明する。なお、本実施形態において、表示装置の基本的な構造は第１の実施形態と同様であるので、ここでも図３を参照して説明する。
【００６１】
表示制御部２４は、主制御部２１を介してメモリ部２２から１ページ分の画像データを入力し、この画像データを画像バッファ内に展開して１ページ分の画像を描画する。そして、その画像バッファ内の画像に対し縦方向及び横方向における画素情報の投影を行う。ここで、画素情報の投影とは、空白の画素（文字等を表示するためのデータが書き込まれていない画素）を「０」とし、文字等を表示するためのデータが書き込まれている画素を「１」として、縦方向（列電極の伸びる方向に沿って並んだ画素）毎及び横方向（行電極の伸びる方向に沿って並んだ画素）毎にそれらの数値を演算（積算）する処理をいう。
【００６２】
図１４（ａ），（ｂ）は、画素情報の投影結果を示す模式図である。図１４（ａ）の例では、列間に隙間が殆どなく、行間には比較的大きな隙間が存在する。この場合、横書き（横組み）の文章であると判断することができる。一方、図１４（ｂ）の例では、列間に比較的大きな隙間が存在し、行間には殆ど隙間が存在しない。この場合、縦書き（縦組み）の文章であると判断することができる。
【００６３】
このようにして画像の組版を判定した後は、第１の実施形態と同様に画像の表示（又は書き換え）を行う。例えば縦書きの文章の場合は、第１のページを右側のページとし、第２のページを左側のページとする。そして、第１のページを右側から左方向に書き換えラインを移動させて画面を表示（書き換え）した後、第２のページの左端部に書き換えラインを移動（ジャンプ）し、書き換えラインを左側から右方向に移動させて第２のページを表示（書き換え）する（図６〜図８参照）。
【００６４】
また、横書きの文章の場合は、第１のページを左側のページとし、第２のページを右側のページとする。そして、第１のページを上側から下方向に書き換えラインを移動させて画面を表示（書き換え）した後、第２のページの上部に書き換えラインを移動（ジャンプ）し、書き換えラインを上側から下方向に移動させて第２のページを表示（書き換え）する（図１１，図１２参照）。
【００６５】
本実施形態においては、第１の実施形態と同様の効果が得られるのに加えて、上述したように画像処理を行って組版情報を判定するので、１ページ分の画像が１枚の静止画として記録されているようなコンテンツに適用することができる。
【００６６】
（第４の実施形態）
図１５は本発明の第４の実施形態に係る画面表示方法を示す模式図である。なお、本実施形態においても、表示装置の基本的な構造は第１の実施形態と同様であるので、図３を参照して説明する。
【００６７】
本実施形態においては、書き換えライン１１の書き換え方向の前方側に、サッケード範囲よりも広い幅（３文字分以上の幅）で空白エリア（白色又は単色の帯）７０を表示し、この空白エリア７０を書き換えライン４１とともに移動させる。前述したように、サッケード範囲内に文字等（高い周波数成分）があると、人間はその文字等を追ってしまうので、書き換えライン４１から注目点を移動させることが困難になる。しかし、本実施形態のようにサッケード範囲内に空白エリア７０、すなわち低い周波数成分を表示することにより、書き換えライン４１から注目点を移動させることが容易になる。その結果、書き換えを終了した部分から文章を読み始めることができ、電子ペーパーで読書するときの違和感が解消され、電子ペーパーによる読書が容易になる。
【００６８】
なお、本実施形態と第１〜第３の実施形態とを組み合わせてもよい。すなわち、第１〜第３の実施形態において。画像の書き換えを行う際に、図１５に示すように書き換えライン４１の移動方向の前方にサッケード範囲よりも広い幅で空白エリア７０を表示し、注目点を書き換えライン４１から離れやすくしてもよい。
【図面の簡単な説明】
【００６９】
【図１】図１は、従来の電子ペーパーの書き換えプロセスを示す模式図である。
【図２】図２は、２ページ分の画像を表示可能な従来の電子ペーパーの画像書き換え時の状態を示す模式図である。
【図３】図３は、本発明の第１の実施形態に係る表示装置（電子ペーパー）の構成を示すブロック図である。
【図４】図４は、同じくその表示装置の表示部の構成を示すブロック部である。
【図５】図５は、表示パネルの断面図である。
【図６】図６は、本発明の第１の実施形態に係る画面表示方法を示す模式図（その１）である。
【図７】図７は、本発明の第１の実施形態に係る画面表示方法を示す模式図（その２）である。
【図８】図８は、本発明の第１の実施形態に係る画面表示方法を示す模式図（その３）である。
【図９】図９は、本発明の第２の実施形態に係る表示装置（電子ペーパ）の構成を示すブロック図である。
【図１０】図１０は、第２の実施形態の表示装置に設定された表示モードの例を示す図である。
【図１１】図１１は、第２の実施形態の表示装置の画面表示方法の一例を示す図（その１）である。
【図１２】図１２は、第２の実施形態の表示装置の画面表示方法の一例を示す図（その２）である。
【図１３】図１３は、１つの表示部に４ページ分の画像を表示する表示装置の画像表示方法の一例を示す図である。
【図１４】図１４（ａ），（ｂ）は、本発明の第３の実施形態に係る表示装置における画素情報の投影結果を示す模式図である。
【図１５】図１５は、本発明の第４の実施形態に係る画面表示方法を示す模式図である。
【符号の説明】
【００７０】
１１，４１…書き換えライン、
２０，５０，６０…表示装置、
２１，５１…主制御部、
２２…メモリ部、
２３…操作部、
２４，５４…表示制御部、
２５ａ，２５ｂ…表示部、
３０…表示パネル、
３１，３２…ドライバ回路、
３３，３６…基板、
３４…行電極、
３５…液晶の層、
３７…列電極、
４２…注目点、
５１ａ…コンテンツ処理制御部、
５１ｂ…演算処理部、
５１ｃ…パネル情報記憶部、
５４ａ…表示バッファ、
５４ｂ…書き換え制御部、
７０…空白エリア。
【図１】
2009282433.tif 000003
【図２】
2009282433.tif 000004
【図３】
2009282433.tif 000005
【図４】
2009282433.tif 000006
【図５】
2009282433.tif 000007
【図６】
2009282433.tif 000008
【図７】
2009282433.tif 000009
【図８】
2009282433.tif 000010
【図９】
2009282433.tif 000011
【図１０】
2009282433.tif 000012
【図１１】
2009282433.tif 000013
【図１２】
2009282433.tif 000014
【図１３】
2009282433.tif 000015
【図１４】
2009282433.tif 000016
【図１５】
2009282433.tif 000017